(57)【要約】【目的】  ストロボ装置から発生した火花が燃料電池から放出された水素ガスに引火することを防止する。【構成】  デジタルカメラ１０では、ストロボ装置３２からストロボ光が発光される間は、燃料電池１６による発電が停止され、２次電池からデジタルカメラ１０の各部に電力が供給される。【選択図】  図１
2005055642.tif 000002
【特許請求の範囲】
【請求項１】
燃料電池を電源とし、被写体に向けて補助光を発光する補助光発光手段を備えるカメラであって、
前記補助光発光手段から前記補助光が発光される間は、前記燃料電池による発電を停止させる第１制御手段を有することを特徴とするカメラ。
【請求項２】
前記燃料電池によって発電された電力を蓄電する２次電池を備え、
前記第１制御手段は、前記補助光発光手段から前記補助光が発光される間は、電源を前記燃料電池から前記２次電池へ切換えることを特徴とする請求項１に記載のカメラ。
【請求項３】
燃料電池を電源とし、被写体に向けて補助光を発光する補助光発光手段を備えるカメラであって、
前記燃料電池の作動を停止させる停止手段と、
前記停止手段の操作指示をユーザーに出す第１警告手段と、
前記補助光発光手段から前記補助光が発光される設定に手動もしくは自動でされている時に前記燃料電池による発電が行われていると、前記第１警告手段を作動させる第２制御手段と、
を有することを特徴とするカメラ。
【請求項４】
前記燃料電池によって発電された電力を蓄電する２次電池を備え、
前記第２制御手段は、前記停止手段が操作されて前記燃料電池による発電が停止されると、電源を前記２次電池に切換えることを特徴とする請求項３に記載のカメラ。
【請求項５】
前記第２制御手段は、前記停止手段が操作されなかった場合、前記補助光発光手段の作動を禁止することを特徴とする請求項４に記載のカメラ。
【請求項６】
前記補助光発光手段の作動が禁止されたことをユーザーに認知させる第２警告手段を備え、
前記第２制御手段は、前記補助光発光手段の作動を禁止すると前記第２警告手段を作動させることを特徴とする請求項５に記載のカメラ。
【請求項７】
燃料電池を電源とし、被写体に向けて補助光を発光する補助光発光手段を備えるカメラであって、
前記補助光発光手段が、カメラ筐体内で前記燃料電池から最も離された位置に配置されていることを特徴とするカメラ。
【請求項８】
燃料電池を電源とし、被写体に向けて補助光を発光する補助光発光手段を備えるカメラであって、
複数の筐体で構成され、前記燃料電池と前記補助光発光手段が異なる筐体に備えられていることを特徴とするカメラ。
【発明の詳細な説明】
【技術分野】
【０００１】
本発明は、燃料電池を電源とするカメラに関する。
【背景技術】
【０００２】
従来から燃料電池を電源とする機器が考案されている（例えば、特許文献１、又は２参照）。燃料電池では、水素と酸素が結合する際の化学エネルギーを電気エネルギーに変換する電気化学反応が利用されている。このため、燃料電池を発電させている間は、水素ガス等の可燃性ガスが燃料電池から放出され、機器の内部に充満するという恐れがある。
【０００３】
ところで、補助光発光手段としてのストロボ装置を内蔵するカメラでは、ストロボ撮影を行う際に、シャッタの動作に連動してオン、オフするトリガスイッチの接片にトリガコンデンサから高電圧電流が流れ、この接片部分に火花が発生することがある。このため、ストロボ装置を内蔵するカメラの電源を燃料電池とした場合、カメラ内部に充満した可燃性ガスに火花が印加し、可燃性ガスが燃焼するという可能性がある。
【０００４】
特許文献３では、ストロボ装置を内蔵するカメラにおいて、トリガスイッチの接片部分に火花が発生することを防止することを目的とした構成が開示されている。しかし、カメラやカメラ付携帯電話等を落下させてトリガスイッチの接片部分が発光部から外れた状態でストロボ装置を発光させた場合、又はカメラやカメラ付携帯電話等を水の中に落としてストロボ装置の高電圧である回路基板を塗らした状態でストロボ装置を発光させた場合等、火花が発生する要因は存在する。このため、燃料電池から放出される可燃性ガスを燃焼させてしまう恐れがなくなったわけではない。
【特許文献１】特開２００３−３６８７９号公報
【特許文献２】特開平９−２１３３５９号公報
【特許文献３】特開２０００−２６７１６０号公報
【発明の開示】
【発明が解決しようとする課題】
【０００５】
本発明は上記事実を考慮してなされたものであり、燃料電池を電源とし、補助光発光手段を備えるカメラにおいて、補助光を発光する際に発生する火花が燃料電池から放出された水素ガス等の可燃性ガスに引火することを防止することを目的とする。
【課題を解決するための手段】
【０００６】
請求項１に記載のカメラは、燃料電池を電源とし、被写体に向けて補助光を発光する補助光発光手段を備えるカメラであって、前記補助光発光手段から前記補助光が発光される間は、前記燃料電池による発電を停止させる第１制御手段を有することを特徴とする。
【０００７】
請求項１に記載のカメラでは、燃料電池を電源としている。また、補助光発光手段が備えられており、被写体に向けて補助光を発光し、暗所での撮影を可能としている。
【０００８】
第１制御手段は、補助光発光手段から補助光が発光される間は、燃料電池による発電を停止させる。これによって、補助光発光手段から補助光が発光される間に、燃料電池から水素ガス等の可燃性ガスが放出されることがない。従って、補助光発光手段から発生される火花が水素ガスに引火することを防止できる。
【０００９】
請求項２に記載のカメラは、請求項１に記載のカメラであって、前記燃料電池によって発電された電力を蓄電する２次電池を備え、前記第１制御手段は、前記補助光発光手段から前記補助光が発光される間は、電源を前記燃料電池から前記２次電池へ切換えることを特徴とする。
【００１０】
請求項２に記載のカメラでは、第１制御手段は、補助光発光手段が発光される間は、電源を燃料電池から２次電池に切換え、２次電池に蓄電された電力でカメラを駆動させる。これによって、補助光発光手段が発光される間に、燃料電池から水素ガスが放出されることを防止できると共に、燃料電池の作動を停止している間の電力供給を確保できる。
【００１１】
請求項３に記載のカメラは、燃料電池を電源とし、被写体に向けて補助光を発光する補助光発光手段を備えるカメラであって、前記燃料電池の作動を停止させる停止手段と、前記停止手段の操作指示をユーザーに出す第１警告手段と、前記補助光発光手段から前記補助光が発光される設定に手動もしくは自動でされている時に前記燃料電池による発電が行われていると、前記第１警告手段を作動させる第２制御手段と、を有することを特徴とする。
【００１２】
請求項３に記載のカメラでは、ユーザーが停止手段を操作すると燃料電池の作動が停止される。ストロボモードに設定する等、手動で、もしくは、暗所では自動的にストロボが発光される準備がされる等、自動で、補助光発光手段から補助光が発光される設定にされている時に燃料電池による発電が行われていると、第２制御手段が第１警告手段を作動させ、ユーザーに停止手段の操作指示を出す。
【００１３】
これによって、ユーザーは、補助光発光手段から放出された火花が、燃料電池から放出された水素ガス等の可燃性ガスに引火する恐れがあることを認知でき、未然に防止できる。
【００１４】
なお、停止手段は、燃料電池を停止させるのみのものとは限られず、燃料電池を作動させ、又は停止させるオン、オフスイッチのようなもので良く、電源を燃料電池か２次電池に設定させる切換えレバーのようなものでも良い。
【００１５】
請求項４に記載のカメラは、請求項３に記載のカメラであって、前記燃料電池によって発電された電力を蓄電する２次電池を備え、前記第２制御手段は、前記停止手段によって前記燃料電池による発電が停止されると、電源を前記２次電池に切換えることを特徴とする。
【００１６】
請求項４に記載のカメラでは、停止手段が操作されて燃料電池による発電が停止されると、第２制御手段によって電源が２次電池に切換えられ、カメラは２次電池に蓄電された電力で駆動される。これによって、補助光発光手段から発生する火花が燃料電池から放出された水素ガス等の可燃性ガスに引火することを防止できると共に、燃料電池による発電を停止している間の電力の供給を確保できる。
【００１７】
請求項５に記載のカメラは、請求項４に記載のカメラであって、前記第２制御手段は、前記停止手段が操作されなかった場合、前記補助光発光手段の作動を禁止することを特徴とする。
【００１８】
請求項５に記載のカメラでは、停止手段が操作されずに電源が燃料電池から２次電池に切換えられなかった場合、補助光発光手段は第２制御手段によって作動を禁止される。これによって、燃料電池と補助光発光手段が同時に作動されることがないので、火花が水素ガス等の可燃性ガスに引火されることはない。
【００１９】
請求項６に記載のカメラは、請求項５に記載のカメラであって、前記補助光発光手段の作動が禁止されたことをユーザーに認知させる第２警告手段を備え、前記第２制御手段は、前記補助光発光手段の作動を禁止すると前記第２警告手段を作動させることを特徴とする。
【００２０】
請求項６に記載のカメラでは、第２制御手段が、補助光発光手段の作動を禁止すると、第２警告手段を作動させ、ユーザーに補助光発光手段の作動が禁止されていることを認知させる。
【００２１】
これによって、ユーザーは、補助光が発光されずに撮影が行われることを認知できるので、このまま撮影するか、または撮影を止めるかを選択できる。
【００２２】
請求項７に記載のカメラは、燃料電池を電源とし、被写体に向けて補助光を発光する補助光発光手段を備えるカメラであって、前記補助光発光手段が、カメラ筐体内で前記燃料電池から最も離された位置に配置されていることを特徴とする。
【００２３】
請求項７に記載のカメラでは、例えば燃料電池を矩形柱状の筐体の隅部に配置し、補助光発光手段を燃料電池が配置されている隅部と対角となる隅部に配置する、というように、補助光発光手段がカメラ筐体内で燃料電池から最も離された位置に配置されている。
【００２４】
これによって、燃料電池から放出された水素ガス等の可燃性ガスが、燃料電池から離して配置されている補助光発光手段まで流れ難くなる。従って、補助光発光手段で発生した火花が燃料電池から放出された水素ガス等の可燃性ガスに引火し難い。
【００２５】
請求項８に記載の燃料電池は、燃料電池を電源とし、被写体に向けて補助光を発光する補助光発光手段を備えるカメラであって、複数の筐体で構成され、前記燃料電池と前記補助光発光手段が異なる筐体に備えられていることを特徴とする。
【００２６】
請求項８に記載の燃料電池では、燃料電池と補助光発光手段が異なる筐体に備えられているので、燃料電池から放出された水素ガス等の可燃性ガスが補助光発光手段まで流れることがない。従って、補助光発光手段で発生した火花が燃料電池から放出された水素ガス等の可燃性ガスに引火することがない。
【発明の効果】
【００２７】
本発明は上記構成にしたので、燃料電池を電源とし、補助光発光手段を備えるカメラにおいて、補助光発光手段で発生する火花が燃料電池から放出される水素ガス等の可燃性ガスに引火することを防止できる。
【発明を実施するための最良の形態】
【００２８】
以下に図面を参照しながら第１実施形態について説明する。
【００２９】
図１に示すように、デジタルカメラ１０には、メタノール水溶液（ＣＨ3ＯＨ＋Ｈ2Ｏ）が充填された燃料タンク１２が、デジタルカメラ１０に設けられた収納部１４へ上方から装填される。収納部１４の底部には、メタノール水溶液と酸素（Ｏ2）の化学反応によって発電を起し、副生成物として水（Ｈ2Ｏ）、及び二酸化炭素（ＣＯ2）を生成するメタノール直接型燃料電池（以下、燃料電池）１６が備えられている。
【００３０】
燃料タンク１２は、燃料を貯留する燃料貯留部１２Ａと、燃料電池１２で生成される水を回収する水回収部１２Ｂとの２槽構造となっている。燃料タンク１２と燃料電池１６は燃料供給口１８を給液口２０へ、水回収口２２を排水口２４へ勘合させることで、水密状態で接続される。図示は省略したが、燃料供給口１８、水回収口２２には、安全弁が設けられており、この安全弁は、燃料供給口１８と給液口２０、水回収口２２と排水口２４とが接続されると開かれる。
【００３１】
また、水は、燃料電池１６の空気極１３０Ｂで生成され、排水口２４、水回収口２２を介して水回収部１２Ｂへ回収される。
【００３２】
また、デジタルカメラ１０には、燃料電池１６に面してヒータ２３が設けられている。このヒータ２３は、デジタルカメラ１０を低温環境で使用する際に起動される。ここで、燃料電池１６は、氷点下等の低温環境では通常、化学反応を起すことができないが、ヒータ２３によって加熱されることで化学反応を起こし発電できる。
【００３３】
図２には、本実施形態のデジタルカメラ１０の回路構成を示すブロック図が示されている。
【００３４】
デジタルカメラ１０には、撮影レンズ２６、シャッタ２８、絞り２９及びＣＣＤ撮像素子３０が備えられている。撮影レンズ２６、シャッタ２８、及び絞り２９を経由してＣＣＤ撮像素子３０上に結像された被写体像は、ＣＣＤ撮像素子３０によってアナログ画像信号に変換される。ここで、シャッタ２８によって、ＣＣＤ撮像素子３０からアナログ画像信号が読み出される際のスミアの発生が抑制される。
【００３５】
また、デジタルカメラ１０には、補助光発光手段としてのストロボ装置３２が内蔵されている。このストロボ装置３２は、低照度時、又は低照度時以外の必要時に閃光を発光し、被写体に補助光を照射する。
【００３６】
また、デジタルカメラ１０には、アナログ信号処理部３４、Ａ／Ｄ変換部３６、デジタル信号処理部３８、テンポラリメモリ４０、圧縮伸長部４２、内蔵メモリ（又はメモリカード）４４、画像モニタ４６、及び駆動回路４８が備えられている。
【００３７】
ＣＣＤ撮像素子３０は、駆動回路４８内のタイミング発生回路（図示省略）によって発生されたタイミングで駆動され、アナログ画像信号を出力する。また、駆動回路４８には、撮影レンズ２６のＡＦ駆動を制御するＡＦ制御回路、撮影レンズ２６のズーム駆動を制御するズーム制御回路、シャッタ２８の駆動を制御するシャッタ制御回路、絞り２９の駆動を制御する絞り制御回路等が含まれる。
【００３８】
ＣＣＤ撮像素子３０から出力されたアナログ画像信号は、アナログ信号処理部３４でアナログ信号処理され、Ａ／Ｄ変換部３６でＡ／Ｄ変換され、そして、デジタル信号処理部３８でデジタル信号処理される。デジタル信号処理されたデジタル画像データは、テンポラリメモリ４０に一時的に格納される。
【００３９】
テンポラリメモリ４０に格納されたデジタル画像データは、圧縮伸長部４２で圧縮されて内蔵メモリ（又はメモリカード）４４に記録される。尚、撮影モードによっては、圧縮の過程を省いて内蔵メモリ４４に直接記録しても良い。そして、テンポラリメモリ４０に格納されたデジタル画像データは画像モニタ４６に読み出され、画像モニタ４６に被写体像が映し出される。
【００４０】
また、デジタルカメラ１０には、デジタルカメラ１０全体の制御を司るＣＰＵ５０（第１制御手段、第２制御手段）、ズーム操作スイッチ等を含む操作スイッチ群５２、及びシャッタボタン５４が備えられている。操作スイッチ群５２を操作して所望の撮影状態に設定し、シャッタボタン５４を押下することによって、写真撮影が行われる。
【００４１】
また、デジタルカメラ１０には、２次電池５１、コンバータ５３、及び燃料電池１６が備えられており、デジタルカメラ１０を構成する各部は、燃料電池１６で発電される電気エネルギーで、又は燃料電池１６で発電されて２次電池５１にバッファされた電気エネルギーで作動される。
【００４２】
図３に示すように、デジタルカメラ１０の背面には、ファインダ５６、ファインダＬＥＤ５８、撮影／再生モード選択スイッチ６０、充電モード選択スイッチ６１、撮影モード選択ダイヤル６２、マルチファンクションの十字キー６４、カメラの動作モードや十字キー６４の機能等を文字やアイコンで表示するドットマトリクスの液晶表示機６６、バックスイッチ６８、メニュー／ＯＫスイッチ７０、画像モニタ４６、及びスピーカ７２等が設けられている。スピーカ７２からは、各種警告音が鳴らされるが、この点については後述する。
【００４３】
また、デジタルカメラ１０の上面には、電源スイッチ７４及びシャッターボタン５４が設けられ、デジタルカメラ１０の側面には、音声／映像（Ａ／Ｖ）出力端子７６、デジタル（ＵＳＢ）端子７８、及びＤＣ入力端子８０が設けられている。
【００４４】
デジタルカメラ１０は、撮影／再生モード選択スイッチ６０によって撮影モード、又は再生モードが選択できるようになっており、撮影モード時には撮影モード選択ダイヤル６２によってマニュアル撮影、オート撮影、動画、ボイスレコーダー等の各モードが選択できるようになっている。尚、ボイスレコーダは、音声のみを記録するモードである。
【００４５】
また、デジタルカメラ１０は、充電モード選択スイッチ６１によって充電モードが選択できるようになっており、充電モード時には燃料電池１６によって発電が行われ、２次電池５１が充電される。
【００４６】
画像モニタ４６は、電子ビューファインダとして使用できると共に、内蔵メモリ（又はメモリカード）４４から読み出した再生画像等を表示することができる。また、画像モニタ４６は、撮影可能コマ数や再生コマ番号の表示、ストロボ発光の有無、マクロモード表示、記録画質（クオリティー）表示、画素数表示等の情報も表示され、各種のメニュー等がメニュー／ＯＫボタン７０や十字キー６４の操作に応じて表示される。更に各種警告表示も表示されるが、この点については後述する。
【００４７】
次に、燃料タンク１２の構造について説明する。
【００４８】
図４に示すように、燃料タンク１２のケーシング２５は仕切り板２５Ａによって仕切られて燃料貯留部１２Ａと水回収部１２Ｂとの２槽構造となっている。燃料貯留部１２Ａと水回収部１２Ｂはキャップ２７によって封止されている。キャップ２７には、燃料貯留部１２Ａに面して燃料供給口１８が設けられ、水回収部１２Ｂに面して水回収口２２が設けられている。
【００４９】
水回収部１２Ｂには水を回収する袋体８６が収納され、口部を水回収口２２に取り付けられている。燃料貯留部１２Ａには燃料を貯留する袋体８８が収納され、口部を燃料供給口１８に取り付けられている。袋体８８はテフロン（登録商標）ゴム等の耐アルコール性材料とされている。
【００５０】
次に燃料電池１６について説明する。
【００５１】
図４に示すように、燃料電池１６のケーシング１２８は、電池セル１３０によって燃料室１６Ａと空気室１６Ｂに室が分けられている。燃料室１６Ａと空気室１６Ｂは、燃料タンク１２が載置される台座１３２によって封止されている。
【００５２】
台座１３２には、燃料室１６Ａに面して給液口２０が設けられ、空気室１６Ｂに面して排水口２４が設けられ、袋体８８から燃料室１６Ａへ燃料を供給でき、空気室１６Ｂから袋対８６へ水を回収できるようになっている。
【００５３】
電池セル１３０は、燃料室１６Ａの壁面を構成する燃料極１３０Ａ、空気室１６Ｂの壁面を構成する空気極１３０Ｂ、及び燃料極１３０Ａと空気極１３０Ｂに挟まれるプロトン導電膜１３０Ｃとで構成されている。
【００５４】
燃料タンク１２から燃料室１６Ａへメタノールが供給され、燃料極１３０Ａに電圧が印加されると、メタノールが化学反応式（１）に示すように、二酸化炭素、水素イオン、及び電子に分解される。
【００５５】
ＣＨ3ＯＨ＋Ｈ2Ｏ→ＣＯ2＋６Ｈ+＋ｅ-  …（１）
二酸化炭素は、燃料室１６Ａの壁面に設けられた気液分離フィルタ１３４によって燃料室１６Ａから放出され、水素イオンは、プロトン導電膜１３０Ｃを透過して空気極１３０Ｂへ移動する。そして、電子は、カメラの各部が駆動されている時は、カメラの各部へ向い、カメラの各部が駆動されていない時は、２次電池５１（図２参照）へ向かい、２次電池５１を充電させる。
【００５６】
空気極１３０Ｂへ移動した水素イオンＨ+は、空気室１６Ｂの壁面に設けられた気液分離フィルタ１３６を透過して空気室１６Ｂへ流入した酸素、及び電子と結合して水となる。この水は、排水口２４、及び水回収口２２を通過して袋体８６に回収される。
【００５７】
次に、燃料タンク１２を着脱させる機構について説明する。
【００５８】
図４に示すように、燃料タンク１２を収納部１４へ出し入れするためのスライド式の蓋１２０が設けられている。蓋１２０の内面にはコ字状のフック１２２が設けられている。そして、このフック１２２にアームチュア１２４Ａを係止させるフラッパーソレノイド１２４が、デジタルカメラ１０の上面の内側に取り付けられている。
【００５９】
このフラッパーソレノイド１２４が励磁されると、アームチュア１２４Ａがコイル１２４Ｂ側に移動し、アームチュア１２４Ａの引掛け部１２４Ｃがフック１２２に係止する。これによって、蓋１２０がロックされ、開閉できなくなる。
【００６０】
また、燃料タンク１２のケーシング２５の水回収部１２Ｂ側の側面にはラック２５Ｆが形成されている。このラック２５Ｆにモータギア１２６Ａを噛合させるモータ１２６が、収納部１４に設けられている。
【００６１】
燃料タンク１２を収納部１４から取り出したい時に、取出しスイッチ１３８（図３参照）が操作されると、フラッパーソレノイド１２４の励磁が停止され、蓋１２０のロックが解除される。
【００６２】
そして、蓋１２０が開かれると図示しない開閉検出スイッチがオンになり、モータ１２６が駆動される。これによって、燃料タンク１２が収納部１４から頭を出し、燃料タンク１２を掴んで収納部１４から取り出すことができる。
【００６３】
次に、ストロボ装置３２について説明する。
【００６４】
図５に示すように、ストロボ装置３２は、メインコンデンサ８２、シンクロスイッチ（トリガスイッチ）８４、電源接片９０等が取り付けられた回路基板９２と、内部にストロボ放電管（図示省略）を有する発光ユニット９４等から構成されている。
【００６５】
シンクロスイッチ８４は、シャッタ機構（図示省略）が動作すると連動してオンになり、メインコンデンサ８２を放電させる。これにより、ストロボ放電管から被写体へ向けてストロボ光が照射され、被写体を明るく照明する。
【００６６】
この際、メインコンデンサ８２からシンクロスイッチ８４の接片には高電圧電流が流れるので、シンクロスイッチ８４の接片に火花が発生することがある。また、燃料電池１６を発電させている場合、燃料電池１６から水素ガスが放出されることがある。このため、シンクロスイッチ８４の接点で発生した火花が燃料電池１６から放出された水素ガスに引火し、水素ガスが燃料してしまう恐れがある。
【００６７】
このため、ストロボ装置３２は、燃料電池１６が配置されている隅部と対角となる隅部に配置されており、燃料電池１６とストロボ装置３２は、カメラ筐体内で最も離れた位置に配置されている。これによって、燃料電池１６から放出された水素ガスがストロボ装置３２まで流れ難くなっている。
【００６８】
また、ストロボ装置３２からストロボ光が発光される際には、電源を燃料電池１６から２次電池５１に切換えるようになっている。以下、電源を燃料電池１６から２次電池５１に切換える方法について図６のフローチャートを参照して説明する。
【００６９】
図６のフローチャートに示すように、デジタルカメラ１０の電源が投入されると処理ルーチンが開始され、ステップ２００へ進む。
【００７０】
ステップ２００では、燃料電池１６による発電が開始され、ＷＡＩＴ状態になり、ステップ２０１へ進む。ステップ２０１では、撮影／再生モード選択スイッチ６０によって撮影モードが選択されるまで否定判定が繰り返され、肯定されるとステップ２０２へ進む。
【００７１】
ステップ２０２では、撮影モード選択ダイヤル６２によってストロボモードが選択されているか否かが判定され、肯定されるとステップ２０３へ進み、燃料電池１６による発電が停止され、２次電池５１からデジタルカメラ１０の各部へ電気エネルギーが供給されるように切換えられる。
【００７２】
そして、ステップ２０４へ進み、２次電池５１に蓄電された電力でストロボ装置３２からストロボ光を発光させての撮影が可能か否か判定される。肯定されるとステップ２０５へ進み、撮影が可能であることが画像モニタ４６に表示され、処理ルーチンが終了する。また、否定されるとステップ２０６へ進み、撮影が不可能であることが画像モニタ４６に表示されると共にスピーカ７２から警告音が鳴らされ、処理ルーチンが終了する。
【００７３】
また、ステップ２０２において否定されるとステップ２０７へ進み、測距部５５（図２参照）によって被写体を測距できたか否かが判定される。ここでは被写体のコントラストのピーク値が得られたか否かで測距可能か否かが判定される。肯定されるとステップ２０５へ進み、画像モニタ４６に撮影が可能であることが画像モニタ４６に表示され、処理ルーチンが終了する。
【００７４】
そして、ステップ２０７において否定されると、ステップ２０８へ進み、自動的にストロボモードに切換えられる。そして、ステップ２０３へ進み、燃料電池１６による発電が停止され、２次電池５１からデジタルカメラ１０の各部へ電気エネルギーが供給されるように切換えられ、上述したステップ２０４〜２０６のステップを経て本ルーチンが終了する。
【００７５】
以上、本ルーチンによって、ストロボ装置３２からストロボ光が発光される間は、燃料電池１６による発電が停止され燃料電池１６から水素ガスが放出されることがない。従って、ストロボ装置３２のシンクロスイッチ８４の接片に火花が発生したとしても、水素ガスに引火されることはない。
【００７６】
次に、電源を燃料電池１６から２次電池５１に切換える方法の変形例について図７のフローチャートを参照して説明する。
【００７７】
デジタルカメラ１０の電源が投入されると処理ルーチンが開始され、ステップ３００へ進む。ステップ３００では、ＷＡＩＴ状態になり、ステップ３０１へ進み、撮影／再生モード選択スイッチ６０によって撮影モードが選択されるまで否定判定が繰り返され、肯定されるとステップ３０２へ進む。
【００７８】
ステップ３０２では、撮影モード選択ダイヤル６２によってストロボモードが選択されているか否かが判定され、肯定されるとステップ３０３へ進み、電源切換えスイッチ６３（図８参照）によって電源が燃料電池１６とされているか２次電池５１とされているかが判定される。２次電池５１と判定されるとステップ３０４へ進む。
【００７９】
ステップ３０４では、２次電池に蓄電された電力で、ストロボ装置３２を作動させての撮影が可能か否かが判定され、肯定されるとステップ３０５へ進み、画像モニタ４６に撮影が可能であることが表示され、処理ルーチンが終了する。
【００８０】
また、ステップ３０４で否定されるとステップ３０６へ進み、撮影が不可能であることが画像モニタ４６に表示されると共にスピーカ７２から警告音が鳴らされ、処理ルーチンが終了する。
【００８１】
そして、ステップ３０３において電源が燃料電池１６と判定されるとステップ３０７へ進み、電源切換えスイッチ６３によって電源を２次電池５１に切換えることをユーザーに警告する表示が画像モニタ４６に表示されると共に、スピーカ７２から警告音が鳴らされる。
【００８２】
そして、ステップ３０８へ進み、電源切換えスイッチ６３が操作されて燃料電池１６により発電が停止され、電源が２次電池５１に切換えられたか否かが判定され、肯定されるとステップ３０４へ進み、上述したようにステップ３０４〜３０６を経て処理ルーチンが終了する。
【００８３】
また、ステップ３０８において否定されるとステップ３０９へ進み、撮影の際にストロボ装置３２からストロボ光が発光されないことが画像モニタ４６に表示され、処理ルーチンが終了する。これによって、ユーザーはストロボ光を発光させずにそのまま撮影を行うか、もしくは撮影を止めるかを選択できる。
【００８４】
そして、ステップ３０２において否定されるとステップ３１０へ進み、測距部５５（図８参照）によって被写体を測距できたか否かが判定される。ここでは被写体のコントラストのピーク値が得られたか否かで測距可能か否かが判定される。肯定されるとステップ３０５へ進み、撮影が可能であることが画像モニタ４６に表示され、処理ルーチンが終了する。
【００８５】
また、ステップ３１０において否定されると、ステップ３１１へ進み、自動的にストロボモードに切換えられる。そして、ステップ３０３へ進み、上述したステップ３０３〜３０９のステップを経て、処理ルーチンが終了する。
【００８６】
なお、本実施形態では、第１警告手段、及び第２警告手段を、画像モニタ４６、スピーカ７２としたが、これらに限らず、臭いを発する装置等、他の手段も適用可能である。
【００８７】
次に、第２実施形態について説明する。なお、第１実施形態と同一の構成には同一の符号を付し、説明は省略する。
【００８８】
図９、図１０、図１１に示すように、デジタルカメラ付携帯電話１００は、画像モニタ１０１等を備える第１筐体１０２と、キーボード１０３等をを備える第２筐体１０４とがヒンジ１０５によって連結されて構成されている。第１筐体１０２は、ヒンジ１０５によって第２筐体１０４のキーボード１０３が設けられたキーボード面１０４Ａに沿って回転可能とされている。
【００８９】
閉じられた際にキーボード面１０４Ａに対面する第１筐体１０２の第１面１０２Ａには、サブ画像モニタ１０６、第１撮影レンズ１０７、第１ストロボ装置１０８が設けられ、第１面１０２Ａの裏面である第２面１０２Ｂには、画像モニタ１０１、スピーカ１１５が設けられている。また、第１筐体１０２には、第１撮影レンズ１０７とＣＣＤ撮像素子（図示省略）を少なくとも備える撮像ユニット（図示省略）が内蔵されている。また、側面には第１シャッタボタン１１６が設けられている。
【００９０】
第２筐体１０４のキーボード面１０４Ａのキーボード１０３の下側には、蓋１０９が設けられている。この蓋１０９によって開閉される収納部１１１の底部には燃料電池１１０が設けられている。燃料電池１１０は、第１実施形態と同様に電池セル（図示省略）によって燃料室１１０Ａと空気室１１０Ｂの２槽構造とされている。そして、燃料電池１１０の上面には、燃料室１１０Ａに面して給液口１１３が設けられ、空気室１１０Ｂに面して排水口１１４が設けられている。
【００９１】
また、燃料貯留部１１２Ａと水回収部１１２Ｂの２槽構造の燃料タンク１１２が収納部１１１の上方から装填される。燃料タンク１１２には、給液口１１３に水密状態で接続される燃料供給口１１５が燃料貯留部１１２Ａに面して設けられ、排水口１１４に水密状態で接続される水回収口１１６が水回収部１１２Ｂに面して設けられている。
【００９２】
さらに、第２筐体１０４の側面には、第２シャッタボタン１１３が設けられ、キーボード面１０４Ａの裏面１０４Ｂには第２撮影レンズ１１８、第２ストロボ装置１１９、マイク１２０が設けられている。
【００９３】
デジタルカメラ付携帯電話１００は、図１１に示すように閉じた状態でも、第１筐体１０２の側面に設けられた第１シャッタボタン１１６を押して、第２撮影レンズ１１８、第２ストロボ装置１１９によって撮影ができるようになっている。また、デジタルカメラ付携帯電話１００は、閉じた状態でもマイク１２０によって通話ができるようになっている。
【００９４】
このデジタルカメラ付携帯電話１００は、第１実施形態と同様に、燃料電池１１０が発電している間は、ＣＰＵ５０によって第２ストロボ装置１１９からストロボ光が発光されないようになっている。このため、第２ストロボ装置１１９で発生した火花が、第２ストロボ装置１１９と同じ筐体内に備えられている燃料電池１１０から放出された水素ガスに引火しないようになっている。
【００９５】
また、キーボード１０３を操作して電源を燃料電池１１０から２次電池５１に切換えること、ストロボ装置１０８からストロボ光が発光されないこと等の警告表示が画像モニタ１０１に表示され、警告音がスピーカ１１５から鳴らされる。
【００９６】
次に、第２実施形態の変形例であるデジタルカメラ付携帯電話１３０について説明する。なお、第１、第２実施形態と同一の構成には同一の符号を付し、説明は省略する。
【００９７】
図１２に示すように、デジタルカメラ付携帯電話１３０は、第１筐体１０２にストロボ装置１３２が設けられ、第２筐体１０４に燃料電池１１０が設けられている。即ち、ストロボ装置１３２と燃料電池１１０が異なる筐体に設けられている。従って、燃料電池から放出された水素ガス等の可燃性ガスがストロボ装置１３２まで流れることがなく、ストロボ装置１３２から発生した火花が燃料電池１１０から放出された水素ガスに引火することがない。
【００９８】
なお、第１、第２実施形態では、デジタルカメラ１０、デジタルカメラ付携帯電話１００、１３０を例に取って本発明のカメラを説明したが、これに限らず、アナログカメラやビデオカメラ等、ストロボ装置（補助光発光手段）を備える他のカメラに付いても適用可能である。
【００９９】
また、メタノール直接型燃料電池について説明したが、固体高分子型燃料電池等、他の種類の燃料電池にも適用可能である。
【図面の簡単な説明】
【０１００】
【図１】第１実施形態のデジタルカメラを示す斜視図である。
【図２】第１実施形態のデジタルカメラの回路構成を示すブロック図である
【図３】第１実施形態のデジタルカメラを示す斜視図である。
【図４】第１実施形態のデジタルカメラの燃料電池、及び燃料タンクを示す断面図である。
【図５】第１実施形態のデジタルカメラに内蔵されたストロボ装置を示す斜視図である。
【図６】第１実施形態のデジタルカメラの電源を切換える方法を示すフローチャートである。
【図７】第１実施形態のデジタルカメラの電源を切換える方法の変形例を示すフローチャートである。
【図８】第１実施形態のデジタルカメラの変形例を示す斜視図である。
【図９】第２実施形態のデジタルカメラ付携帯電話を示す斜視図である。
【図１０】第２実施形態のデジタルカメラ付携帯電話を示す斜視図である。
【図１１】第２実施形態のデジタルカメラ付携帯電話を示す斜視図である。
【図１２】第２実施形態のデジタルカメラ付携帯電話の変形例を示す斜視図である。
【符号の説明】
【０１０１】
１０    デジタルカメラ（カメラ）
１６    燃料電池
３２    ストロボ装置（補助光発光手段）
４６    画像モニタ（第１警告手段、第２警告手段）
５０    ＣＰＵ（第１制御手段、第２制御手段）
５１    ２次電池
６３    電源切換えスイッチ（停止手段）
７２    スピーカ（第１警告手段、第２警告手段）
１００  デジタルカメラ付携帯電話（カメラ）
１０１  画像モニタ（第１警告手段、第２警告手段）
１０８  第１ストロボ装置（補助光発光手段）
１１５  スピーカ（第１警告手段、第２警告手段）
１１９  第２ストロボ装置（補助光発光手段）
１１０  燃料電池
１３０  デジタルカメラ付携帯電話（カメラ）
１３２  ストロボ装置（補助光発光手段）
【図１】
2005055642.tif 000003
【図２】
2005055642.tif 000004
【図３】
2005055642.tif 000005
【図４】
2005055642.tif 000006
【図５】
2005055642.tif 000007
【図６】
2005055642.tif 000008
【図７】
2005055642.tif 000009
【図８】
2005055642.tif 000010
【図９】
2005055642.tif 000011
【図１０】
2005055642.tif 000012
【図１１】
2005055642.tif 000013
【図１２】
2005055642.tif 000014